(57)【特許請求の範囲】
【請求項１】
回転駆動されるスピンドル軸上に複数枚固定された磁気ディスクと、
磁気ディスクの側方に配置されるアーム回転軸周りに回転駆動されて磁気ディスク上をシーク動する先端に磁気ヘッドを保持したキャリッジアームと、
前記磁気ディスクの回転上流側揺動ストローク終端位置におけるキャリッジアームに沿う位置に配置され、前記磁気ディスクの回転により発生する空気流を前記スピンドル軸の方向に導いてキャリッジアームへの衝突流を減少させるガイドプレートと、
を有することを特徴とする磁気ディスク装置。
【請求項２】
前記ガイドプレートの板厚が、空気流上流側辺縁から磁気ディスクの回転方向に沿って漸次減少する請求項１記載の磁気ディスク装置。
【発明の詳細な説明】
【０００１】
【発明の属する技術分野】
本発明は、磁気ディスク装置に関するものである。
【０００２】
【従来の技術】
一般に磁気ディスク装置における磁気ディスク上の磁気記憶へのアクセスは、磁気ディスクの回転に伴って磁気ディスク上に発生する空気流を利用して磁気ディスク上に浮上する磁気ヘッドにより行われ、該磁気ヘッドの所定トラックへの移動操作は、磁気ディスクの側方に配置されるアーム回転軸周りに回転駆動されるキャリッジアームにより行われる。
【０００３】
そして、キャリッジアームは、磁気ディスク上の半径領域上を横断するように配置されるために上記空気流の影響を受けて振動しやすく、従来、空気流による振動の抑制は、材料力学的、および制御工学的特性を調整することにより行われてきた。
【０００４】
【発明が解決しようとする課題】
しかし、近年、磁気ディスク装置は大記憶容量化、高速化の要求に伴って磁気ディスク２の回転速度も高速化が進められた結果、装置内部の空気流の流速も高速化し、上述した従来例による対応ではキャリッジアームの位置制御が困難になってきており、ヘッド位置決めの精度を高めることができないという問題がある。
【０００５】
本発明は、以上の欠点を解消すべくなされたものであって、空気流によるキャリッジアームの振動を防止し、ヘッド位置決め精度を向上させることのできる磁気ディスク装置の提供を目的とする。
【０００６】
【課題を解決するための手段】
上記キャリッジアーム５の振動には、高速気流がキャリッジアーム５の長手方向側面に衝突することによる周波数の比較的低い振動成分と、キャリッジアーム５後流に生じるカルマン渦的な周期的非定常渦による周波数の比較的高い振動成分が含まれると考えられる。
【０００７】
本発明におけるガイドプレート６は、磁気ディスク２上面に発生した高速空気流をキャリッジアーム５の上流側でスピンドル１軸の方向に導くことにより、キャリッジアーム５の側面に当たる高速気流の流速、および流量を減少させることができ、この結果、キャリッジアーム５の位置決め精度が向上する。
以上
【０００８】
【発明の実施の形態】
図１、２に示すように、磁気ディスク装置は、ケース９内に形成されるシュラウド１０により包囲された空間部に、スピンドル軸１周りに所定間隔を置いて積層状に固定される複数の磁気ディスク２、２・・と、先端に磁気ヘッド４を保持したキャリッジアーム５と、キャリッジアーム５の他端に形成される磁気回路７とを配置して形成される。
【０００９】
磁気ヘッド４は板バネサスペンション８の先端に接着され、磁気回路７を励磁すると、キャリッジアーム５が磁気ディスク２の側方に位置するアーム回転軸３周りに回転駆動され、磁気ディスク２上の所定位置に磁気ヘッド４をシークすることができる。
【００１０】
シュラウド１０は、曲率部１０ａにおいて上記磁気ディスク２外周の３／４程度を包囲した後、アーム回転軸３側に開放されてアーム作動空間９ａを形成し、曲率部１０ａとアーム作動空間９ａ壁面との境界部には、内方に膨隆する小曲率壁１０ｂが形成される。また、アーム作動空間９ａには、上記キャリッジアーム５の揺動角を規制するためのストッパ１１、および図外の制御部が配置される。
【００１１】
上記アーム作動空間９ａには、支柱１２ａから側方に向けて複数のガイドプレート６、６・・を突出させたプレートブロック１２が立設、固定される。図２に示すように、ガイドプレート６は、磁気ディスク２、２間の間隔に等しいピッチで設けられ、プレートブロック１２を固定した状態で、各ガイドプレート６は磁気ディスク２外方から磁気ディスク２間の間隙に差し込まれるように配置される。ガイドプレート６の厚さ（ｔ）は、磁気ディスク２にディスクフラッタ現象が発生した場合にも、ディスク表面に衝接することなく、十分な間隙がディスク表面との間に確保できるように設定され、大きさ（面積）は、磁気ディスク２の回転に伴って発生する空気流によって妄りにばたつくことのない程度の剛性を得ることができるように、使用する材料を考慮して決定される。
【００１２】
また、磁気ディスク２間にプレート状のガイドプレート６を挿入すると、静止しているガイドプレート６と回転している磁気ディスク２との間の空気流には強い剪断力が作用し、その反作用としての磁気ディスク２の剪断力も増加する。この結果、磁気ディスク２の回転に伴う消費電力（風損）が増加するために、各ガイドプレート６は、図２（ａ）に示すように、空気流の上流側辺縁から下流側に行くに従って、円周方向に漸次薄肉となる台形状断面形状に形成され、消費電力の増加が抑えられる。
【００１３】
以上のように形成されるガイドプレート６は、空気流のキャリッジアーム５より上流側、すなわち、磁気ディスク２が反時計方向に回転するものとして設置されたこの参考例においては左側に配置され、さらに、上流側の辺縁６ａが磁気ディスク２の回転接線方向を向く姿勢で配置される。また、ガイドプレート６の上流側辺縁６ａとシュラウド１０の小曲率壁１０ｂとの間隔（ｄ）は、空気流の流速ベクトル方向とガイドプレート６の上流側辺縁６ａとのなす角度が過大になってアーム作動空間９ａへの導入流量が少なくならように、適切な値に設定される。
【００１４】
したがってこの参考例において、磁気ディスク２の回転に伴う空気流は、ガイドプレート６の上流側辺縁６ａにより磁気ディスク２外方、すなわち、アーム作動空間９ａ側に導かれるために、キャリッジアーム５側に達する気流の流量が減少し、キャリッジアーム５の振動が防止される。
【００１５】
図３に本発明の実施の形態を示す。なお、本実施の形態の説明において、上述した参考例と実質的に同一の構成要素は、図中に同一符号を付して説明を省略する。
【００１６】
図２はキャリッジアーム５が磁気ディスク２の最内周トラック、あるいはコンタクト・スタート・ストップ（ＣＳＳ）領域に磁気ヘッド４を保持する位置、すなわち、磁気ディスク２の回転上流側揺動ストローク終端位置にある状態を示すもので、ガイドプレート６は、この位置にあるキャリッジアーム５に空気流の上流側から沿う姿勢で配置される。ガイドプレート６の先端は、板バネサスペンション８近傍に至っており、該先端とスピンドル軸１との間に適宜間隔の隙間が形成される。
【００１７】
したがってこの実施の形態において、磁気ディスク２間に流れる空気流は、ガイドプレート６の上流側辺縁６ａに衝突した後、該上流側辺縁６ａに沿ってスピンドル軸１方向に導かれ、さらに、ガイドプレート６とスピンドル軸との隙間を通ってキャリッジアーム５の下流側に抜ける。この結果、キャリッジアーム５に当たる空気流の流速、流量が減少する。
【００１８】
【発明の効果】
以上の説明から明らかなように、本発明によれば、空気流によるキャリッジアームの振動を防止し、ヘッド位置決め精度を向上させることができる。
【図面の簡単な説明】
【図１】  本発明の参考例を示す図である。
【図２】  ガイドプレートを示す図で、（ａ）はガイドプレートと磁気ディスクの位置関係を磁気ヘッドとの関係とともに示す側面図、（ｂ）は図１の２Ｂ-２Ｂ線断面図である。
【図３】  本発明の実施の形態を示す図である。
【符号の説明】
１        スピンドル軸
２         磁気ディスク
３         アーム回転軸
４        磁気ヘッド
５         キャリッジアーム
６        ガイドプレート
【図１】
0004149176.tif 000002
【図２】
0004149176.tif 000003
【図３】
0004149176.tif 000004